(57)【要約】【課題】  冷凍車両の開口部を部分的に開閉すると共に、必要最小限のエアカーテンを形成することで、冷凍庫内の温度上昇を防止しながら荷物を容易に出し入れする。【解決手段】  冷凍車両１の冷凍庫２の開口部３を開閉する冷凍車両用ドアであって、開口部３の一側縁に、その側縁を回動中心にして水平方向に開くように取り付けた展開ドア４と、展開ドア４に、スライド開閉するように取り付けたスライドドア５と、展開ドア４又はスライドドア５の端部に、開口部３の他側縁に向けて噴射するように取り付けたエアカーテンＡの吐出口７と、を備え、展開ドア４とスライドドア５とで開口部３を閉塞し得ると共に、スライドドア５のみを開閉するときに、吐出口７から空気を噴射させて開口部３にエアカーテンＡを形成するように構成した。【選択図】  図３
2006242501.tif 000002
【特許請求の範囲】
【請求項１】
冷凍車両（１）の冷凍庫（２）の開口部（３）を開閉する冷凍車両用ドアであって、
前記開口部（３）の一側縁に、その側縁を回動中心にして水平方向に開くように取り付けた展開ドア（４）と、
前記展開ドア（４）に、スライド開閉するように取り付けたスライドドア（５）と、
前記展開ドア（４）の端部に、前記開口部（３）の他側縁に向けて噴射するように取り付けたエアカーテン（Ａ）の吐出口（７）と、を備え、
前記展開ドア（４）と前記スライドドア（５）とで前記開口部（３）を閉塞し得ると共に、該スライドドア（５）のみを開閉するときに、前記吐出口（７）から空気を噴射させて前記開口部（３）にエアカーテン（Ａ）を形成するように構成した、ことを特徴とする冷凍車両用ドア。
【請求項２】
冷凍車両（１）の冷凍庫（２）の開口部（３）を開閉する冷凍車両用ドアであって、
前記開口部（３）の一側縁に、その側縁を回動中心にして水平方向に開くように取り付けた展開ドア（４）と、
前記展開ドア（４）に、スライド開閉するように取り付けたスライドドア（５）と、
前記スライドドア（５）の端部に、前記開口部（３）の他側縁に向けて噴射するように取り付けたエアカーテン（Ａ）の吐出口（７）と、を備え、
前記展開ドア（４）と前記スライドドア（５）とで前記開口部（３）を閉塞し得ると共に、該スライドドア（５）のみを開閉するときに、前記吐出口（７）から空気を噴射させて前記開口部（３）にエアカーテン（Ａ）を形成するように構成した、ことを特徴とする冷凍車両用ドア。
【請求項３】
前記展開ドア（４）に、２以上の個別にスライド開閉するスライドドアを取り付けた、ことを特徴とする請求項１又は２の冷凍車両用ドア。
【請求項４】
前記スライドドア（５）は、前記開口部（３）に設けた感知装置（６）で、該開口部（３）に接近する人を感知して自動開閉するように構成した、ことを特徴とする請求項１又は２の冷凍車両用ドア。
【請求項５】
前記エアカーテンの吐出口（７）は、空気が斜め上方へ噴射するように構成したものである、ことを特徴とする請求項１の冷凍車両用ドア。
【請求項６】
前記スライドドア（５）における前記開口部（３）に向く端縁に、上下方向に弾力性を有する筒状のドア側パッキン（２１）を取り付け、
前記開口部（３）の内周縁に、上下方向に弾力性を有する筒状の開口側パッキン（２２）を、
該ドア側パッキン（２１）が開口側パッキン（２２）に接近させたときに、それぞれのパッキン（２１，２２）が隣接するように構成した、ことを特徴とする請求項１又は２の冷凍車両用ドア。
【請求項７】
前記開口部（３）の周縁に、断面略Ｌ字形状の板状パッキン（３１）をその背面に前記展開ドア（４）側へ押圧するように複数本の弾性部材（３２）を形成したものである、ことを特徴とする請求項１又は２の冷凍車両用ドア。
【請求項８】
前記開口部（３）の周縁に、断面略Ｌ字形状の板状パッキン（３１）をその背面に前記スライドドア（５）側へ押圧するように複数本の弾性部材（３２）を形成したものである、ことを特徴とする請求項１又は２の冷凍車両用ドア。
【発明の詳細な説明】
【技術分野】
【０００１】
本発明は、冷凍車両の冷凍庫の開口部を開閉するドアに係り、特に冷凍庫内の温度を上昇させることなく荷物の出し入れができる冷凍車両用ドアに関するものである。
【背景技術】
【０００２】
冷凍車両は、乗用車のエアコンと同様に、エンジン直結式コンプレッサにて駆動する機械式冷凍機を搭載し、冷凍食品等を低温で配送する自動車である。図７の断面図に示すように、冷凍車両５１は冷凍庫５２の天井に取り付けた冷却装置５３から冷気を矢視線のように開口部５４方向へ噴射するようになっている。このような構成の冷凍車両５１の冷凍庫５２内から冷凍食品等を出し入れするときに、その開口部５４のドア５５を開けたときに大量の冷気が庫外に放散して、冷凍庫５２の温度が上昇する。そこで、このように開口部５４から冷気が放散しないように種々の発明が提案されている。例えば特許文献１の特開２０００−１３０９０６公報「車両の冷気漏れ防止装置」のように、冷凍車や冷蔵車等の荷室にある扉を開けたときに開口部より冷気が流出するのを防止するための車両の冷気漏れ防止装置が提案されている。
【特許文献１】特開平８−１５９６３９
【０００３】
この車両の冷気漏れ防止装置は、図８に示すように、車両の荷室にある扉の開口部６１を全幅に亘って遮る通気性のないカーテン生地からなるカーテン本体６２を備え、このカーテン本体６２が下方から上方へ引き上げ可能に懸装される引上げ式であって、且つこのカーテン本体６２の上端高さを無段階にて調節し保持可能にしたものである。この冷気漏れ防止装置は、カーテン本体６２を上下に案内するガイド機構６３と、下方へ巻き取る巻取機構６４とを設けたものである。    
【発明の開示】
【発明が解決しようとする課題】
【０００４】
しかし、従来の冷気漏れ防止装置は、いわゆる観音開き式のドアを備えた開口部６１に取り付ける構造であるために、大きなカーテン本体６２、その両側に位置するガイド機構６３、更に巻取機構６４やウェイト６５といった大掛かりな装置になりやすく、全体の重量が重たくなるという問題を有していた。また、この冷気漏れ防止装置は、冷気が下方から流出しないように、開口部６１の下部からカーテン本体６２を引き上げる方式であるために車両の荷室内の荷物の出し入れが煩雑であるという問題を有していた。
【０００５】
一方、冷凍車両の開口部にエアカーテンを設けるという技術も提案されている。例えば、開口部の上縁から下方へ噴射させる方式や、その逆で開口部の下縁から上方へ噴射させる方式のエアカーテンを形成し、そこから冷気漏れを防止する技術も提案されている。この開口部全体をエアカーテンで閉塞する方法では、大きく開口するドア全体に空気を噴射させる必要があるため、冷凍庫内の温度上昇を確実に防止できないという問題を有していた。逆に、温度上昇を確実に防止するためには大掛かりな装置が必要になった。
【０００６】
本発明は、かかる問題点を解決するために創案されたものである。すなわち、本発明の目的は、冷凍車両の開口部を部分的に開閉すると共に、必要最小限のエアカーテンを形成することで、冷凍庫内の温度上昇を防止しながら荷物を容易に出し入れすることができる冷凍車両用ドアを提供することにある。
【課題を解決するための手段】
【０００７】
本発明によれば冷凍車両（１）の冷凍庫（２）の開口部（３）を開閉する冷凍車両用ドアであって、前記開口部（３）の一側縁に、その側縁を回動中心にして水平方向に開くように取り付けた展開ドア（４）と、前記展開ドア（４）に、スライド開閉するように取り付けたスライドドア（５）と、前記展開ドア（４）又はスライドドア（５）の端部に、前記開口部（３）の他側縁に向けて噴射するように取り付けたエアカーテン（Ａ）の吐出口（７）と、を備え、前記展開ドア（４）と前記スライドドア（５）とで前記開口部（３）を閉塞し得ると共に、該スライドドア（５）のみを開閉するときに、前記吐出口（７）から空気を噴射させて前記開口部（３）にエアカーテン（Ａ）を形成するように構成した、ことを特徴とする冷凍車両用ドアが提供される。
【０００８】
前記展開ドア（４）に、２以上の個別にスライド開閉するスライドドアを取り付けた。
前記スライドドア（５）は、前記開口部（３）に設けた感知装置（６）で、該開口部（３）に接近する人を感知して自動開閉するように構成した。
【０００９】
前記エアカーテンの吐出口（７）は、空気が斜め上方へ噴射するように構成することが好ましい。
【００１０】
前記スライドドア（５）のパッキンの構造は、前記スライドドア（５）における前記開口部（３）に向く端縁に、上下方向に弾力性を有する筒状のドア側パッキン（２１）を取り付け、前記開口部（３）の内周縁に、上下方向に弾力性を有する筒状の開口側パッキン（２２）を、該ドア側パッキン（２１）が開口側パッキン（２２）に接近させたときに、それぞれのパッキン（２１，２２）が隣接するように構成した。
【００１１】
前記開口部（３）のパッキンの構造は、前記開口部（３）の周縁に、断面略Ｌ字形状の板状パッキン（３１）をその背面に前記展開ドア（４）又はスライドドア（５）側へ押圧するように複数本の弾性部材（３２）を形成したものである。
【発明の効果】
【００１２】
上述したように、本発明では、冷凍車両（１）の冷凍庫（２）の開口部（３）に、水平方向に開く展開ドア（４）と、スライド開閉するスライドドア（５）からなり、この開口部（３）を部分的に開閉すると共に、エアカーテン（Ａ）の吐出口（７）からの空気噴射により開口部（３）にエアカーテン（Ａ）を形成することができる。これによりスライドドア（５）を開けたときに開口部（３）より冷気が流出するのを防止して冷凍庫（２）の温度上昇を抑えることができる。
【００１３】
スライドドア（５）の開口部（３）に設けた感知装置（６）により、両手で荷物を運んでいる人が開口部（３）から離れたときにスライドドア（５）が自動的に閉じ、近づいたときに自動的に開くようになっているので、スライドドア（５）が開放状態になることを阻止して冷凍庫（２）の温度上昇を抑えることができる。
【００１４】
展開ドア（４）又はスライドドア（５）の端部に、前記エアカーテンの吐出口（７）を上方へ傾斜させて取り付けることにより、下方へ流れやすい冷気が冷凍庫（２）外に漏れることを阻止することができる。
【００１５】
スライドドア（５）と開口部（３）とのパッキンの構造は、筒状の弾性部材が縦方向に密接するように接するので、スライドドア（５）の端縁と開口部（３）との間隔が微妙にずれても、ここから冷気が外に漏れることを阻止することができ、冷凍庫（２）の気密性を高めることができる。
【００１６】
開口部（３）におけるパッキンの構造は、断面略Ｌ字形状のパッキン（）をその背面から展開ドア（４）側へ押圧する複数本の弾性部材（３２）を形成しているので、開口部（３）とドア（４，５）の端縁側へ常時押圧するようになっているので、ここから冷気が外に漏れることを阻止することができ、冷凍庫（２）の気密性を高めることができる。
【発明を実施するための最良の形態】
【００１７】
本発明は、展開ドアに、スライド開閉するように取り付けたスライドドアと、展開ドア又はスライドドアの端部に、開口部の他側縁に向けて噴射するように取り付けたエアカーテンの吐出口とを備えた冷凍庫室の開口部を開閉する冷凍車両用ドアである。
【実施例１】
【００１８】
以下、本発明の好ましい実施の形態を図面を参照して説明する。
図１は本発明の実施例１の展開ドアとスライドドアとから成る冷凍車両用ドアの平断面図である。図２は実施例１のスライドドアを開けた状態の平断面図である。図３は実施例１のスライドドアを開けた状態でエアカーテンを形成している状態の冷凍庫内から開口部を示した状態の正面図である。
本発明の冷凍車両用ドアは、冷凍車両１の冷凍庫２の開口部３の一側縁に、その側縁を回動中心にして水平方向に開くように取り付けた展開ドア４と、展開ドア４に、スライド開閉するように取り付けたスライドドア５とから成るものである。このように展開ドア４とスライドドア５とで開口部３を閉塞し得ると共に、このスライドドア５のみを開閉する。即ち、この開口部３を部分的に開閉するようになっている。これで、車両用ドアを開けたときに開口部３より冷気が流出するのを防止することができる。なお、展開ドア４に、２以上の個別にスライド開閉するスライドドア（図示していない。）を取り付けることができる。
本発明の冷凍車両用ドアは、上記したような冷凍車両１の冷凍庫２に限らず、低温の冷蔵車両の冷蔵庫（図示していない。）にも実施することができる。
【００１９】
冷凍庫２の開口部３の周辺に感知装置６を取り付け、この開口部３に接近する人を感知して自動開閉するように構成した。例えば感知装置６は、展開ドア４又はスライドドア５に取り付ける。あるいは開口部３の上部又は下部に取り付けることも可能である。この感知装置６により、両手で荷物を運んでいる人が開口部３から離れたときにスライドドア５が閉じ、近づいたときに開くようになっているので開放状態にならず冷凍庫２の温度上昇を抑えることができる。このスライドドア５のスライド開閉は、例えば小形モータの駆動により行うようになっている。
【００２０】
本発明の冷凍車両用ドアには、図３に示すように、展開ドア４の端部には、開口部３の他側縁に向けて噴射するようにエアカーテンの吐出口７を取り付けている。図示例の吐出口７は上下に細長く形成した箱状部材の一端にスリットを設けたものである。この吐出口７のスリットから空気を、開口部３の他側縁に向けて噴射させ、開口部３にエアカーテンＡを形成するものである。
【００２１】
この吐出口７からの空気噴射は、スライドドア５を開けているときに噴射させる。このエアカーテンＡを開口部３に形成することで、冷凍庫２内の冷気が外部に放散されることを阻止することができる。吐出口７からの噴射のタイミングは、スライドドア５を開けたときに自動的に作動することが望ましい。勿論手動で作動させることも可能である。
なお、図示例ではエアカーテンＡの吐出口７を展開ドア４の端部に取り付けているが、この吐出口７をスライドドア５の端縁に設けることも可能である。
【００２２】
また、吐出口７は図示例のような上下に細長い箱状の部材ではなく、複数本の吐出チューブ（図示していない。）を並べて配置し、同時に空気を噴射させてエアカーテンＡを形成するように構成することも可能である。
なお、図示例ではエアカーテンの吐出口７を展開ドア４の端部に取り付けているが、この吐出口７をスライドドア５の端縁に設けることも可能である。このようにスライドドア５の端縁部分に吐出口７を設けることにより、冷凍車両用ドアにおける突出部分をなくすことができる。
【実施例２】
【００２３】
図４は本発明の実施例２のエアカーテンの吐出口の構造を示す断面図である。
実施例２の吐出口７は、展開ドア４の端部に、空気が上方へ傾斜して噴射されるように、複数のフィン８を斜め上向きに並列固定したものである。このように構成することで下方へ流れやすい冷気が冷凍庫２外に漏れることを阻止することができる。
なお、吐出口７は、図示例のような複数のフィン８に代えて、複数本の吐出チューブ（図示していない。）を斜め上向きに並べて配置することも可能である。
【実施例３】
【００２４】
図５は本発明の実施例３のスライドドアにおけるパッキンの構造を示す平断面図であり、（ａ）はスライドドアが開口部に近づく状態、（ｂ）はスライドドアが開口部に接した状態前である。
本発明の冷凍車両用ドアは、スライドドア５を開けたときに開口部３から冷気が流出するのを防止することを目的としているので、スライドドア５と開口部３とのパッキンの構造にも特徴を有する。実施例３のスライドドア５と開口部３とのパッキンの構造は、スライドドア５における開口部３に向く端縁に、上下方向に弾力性を有する筒状のドア側パッキン２１を取り付け、開口部３の内周縁に、上下方向に弾力性を有する筒状の開口側パッキン２２を、ドア側パッキン２１が開口側パッキン２２に接近させたときに、それぞれのパッキン２１，２２が隣接するように構成したものである。実施例３のパッキンの構造は、この筒状の部材が縦方向に密接するように接するので、スライドドア５の端縁と開口部３との間隔が微妙にずれても、ここから冷気が外に漏れることを阻止することができ、冷凍庫２の気密性を高めることができる。
【実施例４】
【００２５】
図６は本発明の実施例４の開口部におけるパッキンの構造を示す平断面図であり、（ａ）はスライドドア又は展開ドアが開口部側に近づく状態、（ｂ）はスライドドア又は展開ドアが開口部側に更に近づいた状態である。
本発明の冷凍車両用ドアは、スライドドア５に限らず展開ドア５と接する開口部３から冷気が流出するのを防止することを目的としている。そこで、実施例４の開口部３におけるパッキンの構造は、開口部３における展開ドア４側の周縁に、断面略Ｌ字形状の板状パッキン３をその背面から展開ドア４側へ押圧するように複数本の弾性部材３２を形成したものである。このように、開口部３とドア４，５の端縁側へ常時押圧するようになっているので、ここから冷気が外に漏れることを阻止することができ、冷凍庫２の気密性を高めることができる。
【００２６】
展開ドア４の端縁が板状パッキン３に接しやすいように、この展開ドア４に断面略コ字形状の接触板３４を取り付けている。また、板状パッキン３背面の弾性部材３２を押圧しやすいように、断面略三角形状の押圧板３５を開口部３面に張り付けることが好ましい。
【００２７】
この実施例３と４の開口部３における板状パッキン３１の構造では、冷凍車両１の開口部３を部分的に開閉すると共に、必要最小限のエアカーテンＡを形成することで、冷凍庫２の庫内温度の上昇を防止しながら荷物を容易に出し入れすることができる。
【００２８】
なお、本発明は上述した発明の実施の形態に限定されず、冷凍車両１の開口部３を展開ドア４とスライドドア５とにより部分的に開閉すると共に、冷凍庫２内の温度上昇を防止するために吐出口７の空気噴射により必要最小限のエアカーテンＡを形成する構造であれば、図示したような構成に限定されず、本発明の要旨を逸脱しない範囲で種々変更できることは勿論である。
【産業上の利用可能性】
【００２９】
本発明の冷凍車両用ドアは、主に冷凍車両に利用できるだけでなく、その他の冷凍車両又は温蔵車両の開閉構造として利用することができる。
【図面の簡単な説明】
【００３０】
【図１】本発明の実施例１の展開ドアとスライドドアとから成る冷凍車両用ドアの平断面図である。
【図２】実施例１のスライドドアを開けた状態の平断面図である。
【図３】実施例１のスライドドアを開けた状態でエアカーテンを形成している状態の冷凍庫内から開口部を示した状態の正面図である。
【図４】本発明の実施例２のエアカーテンの吐出口の構造を示す断面図である。
【図５】本発明の実施例３のスライドドアにおけるパッキンの構造を示す平断面図であり、（ａ）はスライドドアが開口部に近づく状態、（ｂ）はスライドドアが開口部に接した状態前である。
【図６】本発明の実施例４の開口部におけるパッキンの構造を示す平断面図であり、（ａ）はスライドドア又は展開ドアが開口部側に近づく状態、（ｂ）はスライドドア又は展開ドアが開口部側に更に近づいた状態である。
【図７】従来の冷凍車両用ドアを備えた冷凍車両の冷凍庫の側断面図である。
【図８】従来の冷気漏れ防止装置の正面図である。
【符号の説明】
【００３１】
１  冷凍車両
２  冷凍庫
３  開口部
４  展開ドア
５  スライドドア
６  感知装置
７  吐出口
８  フィン
２１  ドア側パッキン
２２  開口側パッキン
３１  板状パッキン
３２  弾性部材
Ａ  エアカーテン
【図１】
2006242501.tif 000003
【図２】
2006242501.tif 000004
【図３】
2006242501.tif 000005
【図４】
2006242501.tif 000006
【図５】
2006242501.tif 000007
【図６】
2006242501.tif 000008
【図７】
2006242501.tif 000009
【図８】
2006242501.tif 000010